(57)【要約】【課題】本考案は、係止具に取り付けられる盗難防止用キャップが落下してしまうことを未然に防止できる商品陳列体用係止具を提供する。【解決手段】商品陳列体用係止具１０の係止具本体１４の先端部には雄螺子部１６が形成されている。また、係止具本体１４の基端部には係合部１８が一体形成されている。係止具本体１４の先端部には合成樹脂材で形成された盗難防止用キャップ２２が取り付けられるようになっている。この盗難防止用キャップ２２の外径寸法は前記商品包装ケース１５の係止用孔１５Ａの内径寸法より大きく設定されている。盗難防止用キャップ２２は紐状体２８を介して係止具本体１４に取り付けられている。【選択図】　　図１
0003096969.tif 000002
【実用新案登録請求の範囲】
【請求項１】
商品を陳列する商品陳列体に取り付けられる商品陳列体用係止具であって、商品を収容する商品包装ケースに穿設された係止用孔に挿入される係止具本体と、この係止具本体の先端部に着脱可能に取り付けられると共に前記係止用孔よりも大径に形成された盗難防止用キャップと、前記係止具本体の基端部に形成されて前記商品陳列体に取り付けられる係合部と、一端部が前記盗難防止用キャップに取り付けられると共に他端部が前記係止具本体に取り付けられる紐状体と、を有してなることを特徴とする商品陳列体用係止具。
【請求項２】
商品を陳列する商品陳列体に取り付けられる商品陳列体用係止具であって、商品を収容する商品包装ケースに穿設された係止用孔に挿入されると共に中間部が折り曲げられてフック状に形成された係止具本体と、この係止具本体の先端部に形成された雄螺子部と、前記係止具本体の基端部に形成されて前記陳列体に形成された溝部に取り付けられる側面視コ字状の係合部と、前記係止具本体に紐状体を介して取り付けられると共に前記係止用孔より大径に形成された盗難防止用キャップと、この盗難防止用キャップに形成されて前記雄螺子部と螺合する雌螺子部と、前記紐状部の他端部に穿設されると共に前記係止具本体が挿通される係止具本体挿通孔と、を有してなることを特徴とする商品陳列体用係止具。
【請求項３】
商品を陳列する商品陳列体に取り付けられる商品陳列体用係止具であって、商品を収容する商品包装ケースに穿設された係止用孔に挿入されると共に中間部が折り曲げられてフック状に形成された係止具本体と、この係止具本体の先端部に形成された雄螺子部と、前記係止具本体の基端部に形成されて前記陳列体に係合されるフック状の係合部と、前記係止具本体に紐状体を介して取り付けられると共に前記係止用孔より大径に形成された盗難防止用キャップと、この盗難防止用キャップに形成されて前記雄螺子部と螺合する雌螺子部と、前記紐状部の他端部に穿設されると共に前記係止具本体が挿通される係止具本体挿通孔と、を有してなることを特徴とする商品陳列体用係止具。
【請求項４】
商品を陳列する商品陳列体に取り付けられる商品陳列体用係止具であって、商品を収容する商品包装ケースに穿設された係止用孔に挿入されると共に中間部が折り曲げられてフック状に形成された係止具本体と、この係止具本体の基端部に形成されて前記陳列体に形成された溝部に取り付けられる側面視コ字状の係合部と、前記係止具本体に紐状体を介して取り付けられると共に前記係止用孔より大径に形成された盗難防止用キャップと、この盗難防止用キャップに形成されて前記係止具本体の先端部が嵌入する嵌入孔と、前記紐状部の他端部に穿設されると共に前記係止具本体が挿通される係止具本体挿通孔と、を有してなることを特徴とする商品陳列体用係止具。
【請求項５】
商品を陳列する商品陳列体に取り付けられる商品陳列体用係止具であって、商品を収容する商品包装ケースに穿設された係止用孔に挿入されると共に中間部が折り曲げられてフック状に形成された係止具本体と、この係止具本体の基端部に形成されて前記陳列体に係合されるフック状の係合部と、前記係止具本体に紐状体を介して取り付けられると共に前記係止用孔より大径に形成された盗難防止用キャップと、この盗難防止用キャップに形成されて前記係止具本体の先端部が嵌入する嵌入孔と、前記紐状部の他端部に穿設されると共に前記係止具本体が挿通される係止具本体挿通孔と、を有してなることを特徴とする商品陳列体用係止具。
【考案の詳細な説明】
【０００１】
【考案の属する技術分野】
本考案は時計等の商品を収容した商品包装ケースを吊り下げて陳列する商品陳列体に取り付けられて前記商品包装ケースを吊り下げる商品陳列体用係止具に関する。
【０００２】
【従来の技術】
腕時計等の商品を収容した商品包装ケースを整然と吊り下げて陳列、販売する商品陳列体が提案されている。
この商品陳列体には商品を収容した商品包装ケースを吊り下げる係止具が多数突設されている。この係止具に前記商品包装ケースを吊り下げる場合は商品包装ケースに穿設された係止用孔に前記係止具を挿入することにより商品包装ケースを吊り下げている。
前記係止具の先端部には商品の盗難防止のために前記係止用孔より大径の盗難防止用キャップが取り付けられ、盗難防止用キャップを取り外してからでないと商品包装ケースを係止具から取り外せないようになっている。
このため、消費者が前記商品包装ケースを手にとってみたい場合や販売員が商品包装ケースを取り外す場合は、盗難防止用キャップを係止具から取り外す必要があるが、誤って盗難防止用キャップを摘み損ねて落としてしまうと盗難防止用キャップを探し回らなければならないという不具合がある。
【０００３】
【考案が解決しようとする課題】
本考案は、上記事実に鑑みなされたものであり係止具に取り付けられる盗難防止用キャップが落下してしまうことを未然に防止できる商品陳列体用係止具を提供するものである。
【０００４】
【課題を解決するための手段】
請求項１の考案は、商品を陳列する商品陳列体に取り付けられる商品陳列体用係止具であって、商品を収容する商品包装ケースに穿設された係止用孔に挿入される係止具本体と、この係止具本体の先端部に着脱可能に取り付けられると共に前記係止用孔よりも大径に形成された盗難防止用キャップと、前記係止具本体の基端部に形成されて前記商品陳列体に取り付けられる係合部と、一端部が前記盗難防止用キャップに取り付けられると共に他端部が前記係止具本体に取り付けられる紐状体と、を有してなることを特徴としている。
請求項２の考案は、商品を陳列する商品陳列体に取り付けられる商品陳列体用係止具であって、商品を収容する商品包装ケースに穿設された係止用孔に挿入されると共に中間部が折り曲げられてフック状に形成された係止具本体と、この係止具本体の先端部に形成された雄螺子部と、前記係止具本体の基端部に形成されて前記陳列体に形成された溝部に取り付けられる側面視コ字状の係合部と、前記係止具本体に紐状体を介して取り付けられると共に前記係止用孔より大径に形成された盗難防止用キャップと、この盗難防止用キャップに形成されて前記雄螺子部と螺合する雌螺子部と、前記紐状部の他端部に穿設されると共に前記係止具本体が挿通される係止具本体挿通孔と、を有してなることを特徴としている。
請求項３の考案は、商品を陳列する商品陳列体に取り付けられる商品陳列体用係止具であって、商品を収容する商品包装ケースに穿設された係止用孔に挿入されると共に中間部が折り曲げられてフック状に形成された係止具本体と、この係止具本体の先端部に形成された雄螺子部と、前記係止具本体の基端部に形成されて前記陳列体に係合されるフック状の係合部と、前記係止具本体に紐状体を介して取り付けられると共に前記係止用孔より大径に形成された盗難防止用キャップと、この盗難防止用キャップに形成されて前記雄螺子部と螺合する雌螺子部と、前記紐状部の他端部に穿設されると共に前記係止具本体が挿通される係止具本体挿通孔と、を有してなることを特徴としている。
請求項４の考案は、商品を陳列する商品陳列体に取り付けられる商品陳列体用係止具であって、商品を収容する商品包装ケースに穿設された係止用孔に挿入されると共に中間部が折り曲げられてフック状に形成された係止具本体と、この係止具本体の基端部に形成されて前記陳列体に形成された溝部に取り付けられる側面視コ字状の係合部と、前記係止具本体に紐状体を介して取り付けられると共に前記係止用孔より大径に形成された盗難防止用キャップと、この盗難防止用キャップに形成されて前記係止具本体の先端部が嵌入する嵌入孔と、前記紐状部の他端部に穿設されると共に前記係止具本体が挿通される係止具本体挿通孔と、を有してなることを特徴としている。
請求項５の考案は、商品を陳列する商品陳列体に取り付けられる商品陳列体用係止具であって、商品を収容する商品包装ケースに穿設された係止用孔に挿入されると共に中間部が折り曲げられてフック状に形成された係止具本体と、この係止具本体の基端部に形成されて前記陳列体に係合されるフック状の係合部と、前記係止具本体に紐状体を介して取り付けられると共に前記係止用孔より大径に形成された盗難防止用キャップと、この盗難防止用キャップに形成されて前記係止具本体の先端部が嵌入する嵌入孔と、前記紐状部の他端部に穿設されると共に前記係止具本体が挿通される係止具本体挿通孔と、を有してなることを特徴としている。
【０００５】
【考案の実施の形態】
図１〜図４には本考案に係る商品陳列用係止具の第１実施例が示されている。なお、実施例では商品陳列体用係止具で商品包装ケースに収容された腕時計を吊り下げる場合を例にして説明する。
図４に示されるように、商品陳列体用係止具１０は適宜形状の商品陳列体１２に取り付けられるようになっている。
図１に示されるように、商品陳列体用係止具１０の係止具本体１４は合成樹脂材で形成された針金状部材を中間部で折り曲げてフック状に形成されている。この係止具本体１４の外径寸法は商品陳列用係止具１０に吊り下げられる腕時計（図示せず）が収容された商品包装ケース１５に形成された係止用孔１５Ａの内径寸法より小さく形成されている。
図３に示されるように、前記係止具本体１４の先端部には雄螺子部１６が形成されている。また、係止具本体１４の基端部には側面視略コ字形状の係合部１８が一体形成されている。
図２に示されるように、この係合部１８は前記商品陳列体１２に形成された係止溝２０に嵌め込まれ、これにより商品陳列体用係止具１０は商品陳列体１２に取り付けられるようになっている。
図１及び図２に示されるように、前記係止具本体１４の先端部には合成樹脂材で形成された盗難防止用キャップ２２が取り付けられるようになっている。この盗難防止用キャップ２２の外径寸法は前記商品包装ケース１５の係止用孔１５Ａの内径寸法より大きく設定されている。
図２に示されるように、前記盗難防止用キャップ２２には前記雄螺子部１６と螺合する雌螺子部２４が形成されている。また、盗難防止用キャップ２２の先端面部には貫通孔２６が形成されている。
前記盗難防止用キャップ２２の貫通孔２６には前記貫通孔２６より小径の合成樹脂材で形成された紐状体２８の一端部２８Ａが挿入されて取り付けられている。この一端部２８Ａの先端には円錐突起３０と球状突起３２が間隔をあけて連続形成されている。この円錐突起３０の外径寸法は前記貫通孔２６の外径寸法より少し大きく形成され、球状突起３２の外径寸法は前記貫通孔２６の外径寸法より大きく形成されている。このため、前記円錐突起３０を前記貫通孔２６に嵌め込むことはできるが、嵌め込んだ後は円錐突起３０を抜くことができないようになっている。
また、前記球状突起３２は前記貫通孔２６に嵌め込むことはできないので、盗難防止用キャップ２２の先端面部は円錐突起３０と球状突起３２に挟まれた状態になると共に盗難防止用キャップ２２は回転可能となっている。
前記盗難防止用キャップ２２には鍔部３４が一体形成されている。この鍔部３４は盗難防止用キャップ２２を摘む時に指が当たっても痛くないように少し幅を厚くして形成されている。
図１に示されるように、前記紐状体２８の他端部２８Ｂには扁平部３６が連続形成されている。この扁平部３６には係止具本体挿通孔３８が貫通形成されている。この係止具本体挿通孔３８には前記係止具本体１４が挿入され、これにより前記盗難防止用キャップ２２を係止具本体１４から取り外しても図３に示されるように盗難防止用キャップ２２は係止具本体１４から落ちたりしないようになっている。
【０００６】
次に、第１実施例の商品陳列体用係止具１０の作用を説明する。
商品陳列体用係止具１０の係合部１８は商品陳列体１２に形成された溝２０に嵌め込むことにより、商品陳列体用係止具１０は突出状態で商品陳列体１２に取り付けられる。
この商品陳列体用係止具１０に腕時計が収容された商品包装ケース１５を吊り下げる場合は、前記係止具本体１４に取り付けられている盗難防止用キャップ２２を回転させて、雄螺子部１６と雌螺子部２４の螺合を外して盗難防止用キャップ２２を取り外す。
そして、前記商品包装ケース１５に形成されている係止用孔１５Ａに係止具本体１４を挿入することにより、商品包装ケース１５を吊り下げる。
最後に、外した盗難防止用キャップ２２を螺合させることにより、商品包装ケース１５を商品陳列体１２に陳列することができる。なお、前記雄螺子部１６と雌螺子部２４の螺合を解除すれば盗難防止用キャップ２２を取り外すことができるが、雄螺子部１６と雌螺子部２４の螺合解除操作というワンアクションを必要とさせることにより心理的に盗難を牽制することができるので盗難防止に効果がある。
消費者が商品包装ケース１５を手にとって見たい場合や販売員が商品包装ケース１５を係止具本体１４から取り外すために前記盗難防止用キャップ２２を取った後で盗難防止用キャップ２２を摘み損なっても盗難防止用キャップ２２は紐状体２８によって落下するのを防止される（図３参照）。
従って、落下したした盗難防止用キャップ２２を探し回る等の無駄な手間を省くことができる。
【０００７】
図５には商品陳列体用係止具の第２実施例が示されている。なお、第１実施例の商品陳列体用係止具１０と同一の構成は同一の符号を用いてその説明を省略する。
第２実施例の商品陳列体用係止具５０と第１実施例の商品陳列用係止具１０の相違点は係合部５２の相違だけである。
係合部５２の上端部にはフック状に折り曲げられたフック部５４が形成されており、この係合部５２のフック部５４で図示されない商品陳列体等に係合されるようになっている。
なお、他の構成、作用、効果は第１実施例の商品陳列体用係止具１０と同一であるので、その説明は省略する。
【０００８】
なお、前記雄螺子部１６と雌螺子部２４を形成しないで前記盗難防止用キャップ２２に係止具本体１４の先端部が嵌入する嵌入孔を形成して盗難防止用キャップ２２を前記係止具本体１４の先端部に着脱可能に取り付けるようにしてもよい。
この場合は前記雄螺子部１６と雌螺子部２４を形成しないので、雄螺子部１６と雌螺子部２４を形成する工程を省くことができるので製品コストを抑えることができる。
【０００９】
なお、実施例では商品陳列体用係止具を合成樹脂材で形成したが、合成樹脂材以外の材料で形成してもよいことは勿論である。
【００１０】
【考案の効果】
本考案の商品陳列体用係止具は、盗難防止用キャップを摘み損なったりしても盗難防止用キャップは紐状体を介して係止具本体に取り付けられているので、盗難防止用キャップが落下することを確実に防止できると共に落下した盗難防止用キャップを探し回る等の無駄な手間を省くことができるという優れた効果を有する。
【図面の簡単な説明】
【図１】第１実施例の商品陳列体用係止具の使用状態を示す全体斜視図である。
【図２】第１実施例の商品陳列体用係止具の縦断面図である。
【図３】第１実施例の商品陳列体用係止具の盗難防止用キャップを吊り下げた状態を示す側面図である。
【図４】第１実施例の商品陳列体用係止具を商品陳列体に取り付けた全体斜視図である。
【図５】第２実施例の商品陳列体用係止具の使用状態を示す全体斜視図である。
【符号の説明】
１０　　商品陳列体用係止具
１４　　係止具本体
１６　　雄螺子部
１８　　係合部
２２　　盗難防止用キャップ
２４　　雌螺子部
２８　　紐状体
【図１】
0003096969.tif 000003
【図２】
0003096969.tif 000004
【図３】
0003096969.tif 000005
【図４】
0003096969.tif 000006
【図５】
0003096969.tif 000007